(57)【特許請求の範囲】
【請求項１】
機体の前後方向に拾上げ搬送装置（２２）を配置した作物拾上げ収穫機において、前記拾上げ搬送装置（２２）の前端左右に左右外側から内側の前記拾上げ搬送装置（２２）の拾上げ域に向けて作物を送るガイド搬送装置（３３）を設け、該ガイド搬送装置（３３）の左右張り出し幅を機体後部のハンドルバー（１３）近傍に設けるガイド調整具（６５）で変更可能とし、
前記ガイド搬送装置（３３）は、前記拾上げ搬送装置（２２）の左右先端において内側に向かう固定傾斜案内体（６６）と該固定傾斜案内体（６６）の先端で側方へ開く角度を調整可能で閉じ姿勢に付勢した可動案内体（６７）で構成し、前記ガイド調整具（６５）の操作で付勢力に抗して前記可動案内体（６７）を側方へ開けるようにしたことを特徴とする作物拾上げ収穫機。
【請求項２】
前記固定傾斜案内体（６６）と前記可動案内体（６７）を軟質材とすると共に、土を通過可能な前後方向のスリット（６６ｓ，６７ｓ）を形成したことを特徴とする請求項１に記載の作物拾上げ収穫機。
【請求項３】
機体の前後方向に拾上げ搬送装置（２２）を配置した作物拾上げ収穫機において、前記拾上げ搬送装置（２２）の前端左右に左右外側から内側の前記拾上げ搬送装置（２２）の拾上げ域に向けて作物を送るガイド搬送装置（３３）を設け、該ガイド搬送装置（３３）の左右張り出し幅を機体後部のハンドルバー（１３）近傍に設けるガイド調整具（６５）で変更可能とし、
前記ガイド搬送装置（３３）をガイドフレーム（２７，２７）に張設した搬送ラグ（２９）付きのガイドベルト（３０）で構成すると共に、前記ガイドフレーム（２７，２７）の左右開き角度を電動で調整する回動アクチュエータ（３４）を前記機体後部の前記ハンドルバー（１３）の近傍に設ける回動切換ダイヤル（３４ａ，３４ａ）からなる前記ガイド調整具（６５）で変更可能にしたことを特徴とする作物拾上げ収穫機。
【請求項４】
前記拾上げ搬送装置（２２）の左右側部に設ける搬送カバー（２３）に内側下方に向けてエアーを吹き出すエアー噴射ノズルを複数配列したことを特徴とする請求項１から請求項３のいずれか１項に記載の作物拾上げ収穫機。
【発明の詳細な説明】
【技術分野】
【０００１】
本発明は、圃場面に掘り起こして放置した玉葱やニンニク等の作物を拾上げて収穫する作物拾上げ収穫機に関するものである。
【背景技術】
【０００２】
従来の野菜収穫機には、圃場から作物を拾上げて搬送する拾上げ搬送装置を設け、拾上げ搬送装置の上方に作物を掻き込む掻込装置を設けると共に、作物を回収する回収容器を載置する回収部を備えている。そして、拾上げ搬送装置の前端左右には作物を掻込装置に向けて誘導する左右デバイダを設けている。
【先行技術文献】
【特許文献】
【０００３】
【特許文献１】特開２０１１−１８２６９４号公報
【発明の概要】
【発明が解決しようとする課題】
【０００４】
前記の野菜収穫機では、圃場に掘り起こして散在する作物を左右のデバイダ間に捉えるために機体の進行方向を左右に微修正しながら操向操縦するが、デバイダより外側の左右に分散して多くの作物がある場合には、進行方向の左右微修正では作物を捉え切れなく、圃場に多くの作物が取り残されるので、後で人手によって拾い集める必要がある。
【０００５】
本発明は、機体の進行方向を修正することなく、拾上げ搬送装置の左右幅よりも広く圃場に分散している作物を拾上げ搬送装置に誘導して収穫出来るようにして、人手による作物拾い作業を出来るだけ少なくすることを課題とする。
【課題を解決するための手段】
【０００６】
上記本発明の課題は、次の技術手段により解決される。
【０００７】
請求項１に記載の発明は、機体の前後方向に拾上げ搬送装置２２を配置した作物拾上げ収穫機において、拾上げ搬送装置２２の前端左右に左右外側から内側の拾上げ搬送装置２２の拾上げ域に向けて作物を送るガイド搬送装置３３を設け、該ガイド搬送装置３３の左右張り出し幅を機体後部のハンドルバー１３近傍に設けるガイド調整具６５で変更可能とし、
ガイド搬送装置３３は、拾上げ搬送装置２２の左右先端において内側に向かう固定傾斜案内体６６と該固定傾斜案内体６６の先端で側方へ開く角度を調整可能で閉じ姿勢に付勢した可動案内体６７で構成し、ガイド調整具６５の操作で付勢力に抗して可動案内体６７を側方へ開けるようにしたことを特徴とする作物拾上げ収穫機とする。
請求項２に記載の発明は、固定傾斜案内体６６と可動案内体６７を樹脂やゴム等の軟質材とすると共に、土を通過可能な前後方向のスリット６６ｓ，６７ｓを形成したことを特徴とする請求項１に記載の作物拾上げ収穫機とする。
請求項３に記載の発明は、機体の前後方向に拾上げ搬送装置２２を配置した作物拾上げ収穫機において、拾上げ搬送装置２２の前端左右に左右外側から内側の拾上げ搬送装置２２の拾上げ域に向けて作物を送るガイド搬送装置３３を設け、該ガイド搬送装置３３の左右張り出し幅を機体後部のハンドルバー１３近傍に設けるガイド調整具６５で変更可能とし、
ガイド搬送装置３３をガイドフレーム２７，２７に張設した搬送ラグ２９付きのガイドベルト３０で構成すると共に、ガイドフレーム２７，２７の左右開き角度を電動で調整する回動アクチュエータ３４を機体後部のハンドルバー１３の近傍に設ける回動切換ダイヤル３４ａ，３４ａからなるガイド調整具６５で変更可能にしたことを特徴とする作物拾上げ収穫機とする。
請求項４に記載の発明は、拾上げ搬送装置２２の左右側部に設ける搬送カバー２３に内側下方に向けてエアーを吹き出すエアー噴射ノズルを複数配列したことを特徴とする請求項１から請求項３のいずれか１項に記載の作物拾上げ収穫機とする。
本発明に関連する第１の関連発明は、機体の前後方向に拾上げ搬送装置２２を配置した作物拾上げ収穫機において、拾上げ搬送装置２２の前端左右に左右外側から内側の拾上げ搬送装置２２の拾上げ域に向けて作物を送るガイド搬送装置３３を設け、該ガイド搬送装置３３の左右張り出し幅を機体後部のハンドルバー１３近傍に設けるガイド調整具６５で変更可能にしたことを特徴とする作物拾上げ収穫機とする。
【０００８】
本発明に関連する第２の関連発明は、ガイド搬送装置３３が、拾上げ搬送装置２２の左右先端において内側に向かう固定傾斜案内体６６と該固定傾斜案内体６６の先端で側方へ開く角度を調整可能で閉じ姿勢に付勢した可動案内体６７で構成し、ガイド調整具６５の操作で付勢力に抗して可動案内体６７を側方へ開けるようにしたことを特徴とする上記第１の関連発明の作物拾上げ収穫機とする。
【０００９】
本発明に関連する第３の関連発明は、固定傾斜案内体６６と可動案内体６７を樹脂やゴム等の軟質材とすると共に、土を通過可能な前後方向のスリット６６ｓ，６７ｓを形成したことを特徴とする上記第２の関連発明の作物拾上げ収穫機とする。
【００１０】
本発明に関連する第４の関連発明は、ガイド搬送装置３３をガイドフレーム２７，２７に張設した搬送ラグ２９付きのガイドベルト３０で構成すると共に、ガイドフレーム２７，２７の左右開き角度を電動で調整する回動アクチュエータ３４を機体後部のハンドルバー１３の近傍に設ける回動切換ダイヤル３４ａ，３４ａからなるガイド調整具６５で変更可能にしたことを特徴とする上記第１の関連発明の作物拾上げ収穫機とする。
【００１１】
本発明に関連する第５の関連発明は、拾上げ搬送装置２２の左右先端に左右開き角度が調整可能にガイド搬送装置３３を設けた作物拾上げ収穫機において、ガイド搬送装置３３の前方にある作物の位置を認識する作物認識装置を設け、該作物認識装置で、ガイド搬送装置３３を左右に傾ける回動アクチュエータ３４を制御して作物を拾上げ搬送装置２２に誘導するようにガイド搬送装置３３の左右開き角度を調整することを特徴とする作物拾上げ収穫機とする。
【００１２】
本発明に関連する第６の関連発明は、拾上げ搬送装置２２の左右側部に設ける搬送カバー２３に内側下方に向けてエアーを吹き出すエアー噴射ノズルを複数配列したことを特徴とする上記第１から第５の関連発明の何れか一つの作物拾上げ収穫機とする。
【発明の効果】
【００１３】
請求項１に記載の発明で、機体を走行させて拾上げ搬送装置２２の左右幅内の作物は拾上げ搬送装置２２で拾い上げられて収穫されるのであるが、拾上げ搬送装置２２の左右収拾範囲から外れた作物は、ガイド搬送装置３３の左右張り出し幅をハンドルバー１３の近くに居る作業者がガイド調整具６５を操作して拾上げ搬送装置２２に送るようにすることで、機体の進行方向を変更することなく、容易に幅広く作物を収穫できる。
また、請求項１に記載の発明で、作物が拾上げ搬送装置２２の左右幅内にある場合には、閉じ姿勢で前方に向かう可動案内体６７と固定傾斜案内体６６で中央側へ寄せられて拾上げ搬送装置２２で拾上げられて可動案内体６７が走行抵抗にならず、作物が固定傾斜案内体６６より側方にあると、可動案内体６７を付勢力に抗して側方へ開くことで作物が可動案内体６７で中央へ寄せられ、さらに固定傾斜案内体６６で内側に寄せられるので、収穫作業をスムースに行える。また、可動案内体６７を閉じ姿勢にする切換えが、付勢力で容易に行える。
請求項２に記載の発明で、請求項１の効果に加えて、作物が固定傾斜案内体６６や可動案内体６７に当たることによる損傷を少なくし、スリット６６ｓ，６７ｓから土を側方へ排出することで拾上げ搬送装置２２に土が溜まらないようになる。
請求項３に記載の発明で、機体を走行させて拾上げ搬送装置２２の左右幅内の作物は拾上げ搬送装置２２で拾い上げられて収穫されるのであるが、拾上げ搬送装置２２の左右収拾範囲から外れた作物は、ガイド搬送装置３３の左右張り出し幅をハンドルバー１３の近くに居る作業者がガイド調整具６５を操作して拾上げ搬送装置２２に送るようにすることで、機体の進行方向を変更することなく、容易に幅広く作物を収穫できるという効果に加えて、拾上げ搬送装置２２の側方に在る作物がガイドベルト３０の搬送ラグ２９で拾上げ幅内にスムースに移動され、ハンドルバー１３の近くに居る作業者がガイド調整具６５としての回動切換ダイヤル３４ａ，３４ａを操作して回動アクチュエータ３４を作動してガイドフレーム２７，２７を必要最小幅に素早く変更して、ガイド搬送装置３３が走行の抵抗となることを少なく出来る。
請求項４に記載の発明で、請求項１から請求項３のいずれか１項の効果に加えて、拾上げ搬送装置２２で搬送される作物に付着する泥土や作物が発生する悪臭等を地面に吹き付けて機体を操縦する作業者に悪影響を与えない。
第１の関連発明で、機体を走行させて拾上げ搬送装置２２の左右幅内の作物は拾上げ搬送装置２２で拾い上げられて収穫されるのであるが、拾上げ搬送装置２２の左右収拾範囲から外れた作物は、ガイド搬送装置３３の左右張り出し幅をハンドルバー１３の近くに居る作業者がガイド調整具６５を操作して拾上げ搬送装置２２に送るようにすることで、機体の進行方向を変更することなく、容易に幅広く作物を収穫できる。
【００１４】
第２の関連発明で、第１の関連発明の効果に加えて、作物が拾上げ搬送装置２２の左右幅内にある場合には、閉じ姿勢で前方に向かう可動案内体６７と固定傾斜案内体６６で中央側へ寄せられて拾上げ搬送装置２２で拾上げられて可動案内体６７が走行抵抗にならず、作物が固定傾斜案内体６６より側方にあると、可動案内体６７を付勢力に抗して側方へ開くことで作物が可動案内体６７で中央へ寄せられ、さらに固定傾斜案内体６６で内側に寄せられるので、収穫作業をスムースに行える。また、可動案内体６７を閉じ姿勢にする切換えが、付勢力で容易に行える。
【００１５】
第３の関連発明で、第２の関連発明の効果に加えて、作物が固定傾斜案内体６６や可動案内体６７に当たることによる損傷を少なくし、スリット６６ｓ，６７ｓから土を側方へ排出することで拾上げ搬送装置２２に土が溜まらないようになる。
【００１６】
第４の関連発明で、第１の関連発明の効果に加えて、拾上げ搬送装置２２の側方に在る作物がガイドベルト３０の搬送ラグ２９で拾上げ幅内にスムースに移動され、ハンドルバー１３の近くに居る作業者がガイド調整具６５としての回動切換ダイヤル３４ａ，３４ａを操作して回動アクチュエータ３４を作動してガイドフレーム２７，２７を必要最小幅に素早く変更して、ガイド搬送装置３３が走行の抵抗となることを少なく出来る。
【００１７】
第５の関連発明で、作物認識装置による作物位置でガイド搬送装置３３が自動で左右に揺動して拾上げ搬送装置２２の側方に点在する作物を誘導して収穫でき、拾上げ搬送装置２２の側方に作物が無い場合には、ガイド搬送装置３３を正面に向けて閉じて機体の走行抵抗が少ない安定した収穫作業に出来る。
【００１８】
第６の関連発明で、第１から第５の関連発明の何れか一つの効果に加えて、拾上げ搬送装置２２で搬送される作物に付着する泥土や作物が発生する悪臭等を地面に吹き付けて機体を操縦する作業者に悪影響を与えない。
【図面の簡単な説明】
【００１９】
【図１】作物拾上げ収穫機の側面図
【図２】作物拾上げ収穫機の平面図
【図３】拾上げ駆動軸のトルクリミッタ部分の拡大平断面図
【図４】制御ブロック図
【図５】無段変速装置の減速制御を示すフローチャート
【図６】（ａ）第一実施例の間隔調節桟を装着した搬送バーの側面図          （ｂ）第一実施例の間隔調節桟を装着した搬送バーの正面図          （ｃ）第二実施例の間隔調節桟を装着した搬送バーの側面図          （ｄ）第二実施例の間隔調節桟を装着した搬送バーの正面図
【図７】（ａ）第一実施例の間隔調節桟を複数表示した搬送バーの側面図          （ｂ）第二実施例の間隔調節桟を複数表示した搬送バーの側面図
【図８】（ａ）開閉桟で間隔を開いた状態の側面図          （ｂ）開閉桟で間隔を閉じた状態の側面図
【図９】別実施例の作物拾上げ収穫機の平面図
【図１０】別実施例の作物拾上げ収穫機の側面図
【図１１】（ａ）可動案内体の通常作業状態を示す要部拡大平面図              （ｂ）可動案内体の操作時の状態を示す要部拡大平面図
【発明を実施するための形態】
【００２０】
以下、本発明の実施形態を図面に示す実施例を参照しながら説明する。なお、本明細書においては、機体の前進方向に向かって左右方向をそれぞれ左、右といい、前進方向を前、後進方向を後という。
【００２１】
図１、図２で示すとおり、機体フレーム１の左右一側（機体左側）後部にエンジン２を設け、該エンジン２から供給される駆動力を伝動するミッションケース３をエンジン２の前側下部に設ける。また、該ミッションケース３から左右両側に突出する走行伝動軸４，４にクローラフレーム５，５を貫通させて設け、該走行伝動軸４，４に走行スプロケット６，６を設けると共に、クローラフレーム５，５に複数の転輪７，７を回転自在に設ける。そして、前記左右の走行スプロケット６，６と複数の転輪７，７にクローラベルト８，８を無端状に巻回することにより、左右の走行クローラ９Ｌ，９Ｒを構成する。
【００２２】
なお、該左右の走行クローラ９Ｌ，９Ｒは、前記機体フレーム１の外側に各々配置する。
【００２３】
そして、前記エンジン２の上部には燃料タンク１０を設け、前側にはエンジン２の駆動力を変速して出力したり停止させたりする油圧式の無段変速装置（ＨＳＴ）１１を設け、該燃料タンク１０、無段変速装置１１及びエンジン２の上方及び左右両側を操縦カバー１２で覆うと共に、該操縦カバー１２には、作業者が手を添える平面視でＵ字形状のハンドルバー１３を機体後側に突出させて設ける。
【００２４】
さらに、前記操縦カバー１２の左右他側（機体右側）には、前記ミッションケース３に内装する走行伝動クラッチを入切して前記左右の走行クローラ９Ｌ，９Ｒへの駆動力を入切する左右のサイドクラッチレバー１４，１４を前後方向に入切操作可能に設けるクラッチレバー溝を形成する。サイドクラッチレバー１４，１４は作物回収台３９の近くに設けて作業者が操作し易くする。なお、サイドクラッチレバー１４，１４を１本のレバーとして左右に傾けることで操向出来るようにしても良い。
【００２５】
一方、前記操縦カバー１２の左右一側には、前記無段変速装置１１のトラニオン軸（図示省略）を回動させて斜板の角度を変更し、該無段変速装置１１の出力方向や出力の高低を操作する変速レバー１５を平面視Ｕ字形状の変速レバー溝１５ａに立設する。該変速レバー溝１５ａのうち、前側左右端部をそれぞれ前進側及び後進側の最大操作位置とし、後側左右中央部を停止操作位置とする。
【００２６】
なお、変速レバー１５とトラニオン軸は、ロッドやケーブル等の連携部材（図示省略）によって、変速レバー１５の操作に合わせてトラニオン軸が回動する構成とするか、あるいは変速レバー１５の操作位置を検知する変速操作センサ１５ｂを設けると共に、トラニオン軸の回動アームを介して回動させるトラニオン回動モータ１１ｂと、この回動アームの回動角度を検知するトラニオンポテンショメータ１１ｃを設け、変速操作センサ１５ｂの検知に合わせてトラニオン軸を回動させ、無段変速装置１１の出力を変更する構成とする。
【００２７】
そして、前記ミッションケース３から上方に駆動力を伝動する中継伝動ケース(図示省略)を設け、該中継伝動ケースに機体左右一側から左右他側に向って拾上げ駆動軸１６を設ける。前記左右の走行クローラ９Ｌ，９Ｒの左右間で、且つ該拾上げ駆動軸１６の左右両側には、搬送駆動スプロケット１７，１７を各々設け、該左右の搬送駆動スプロケット１７，１７は、前後方向に長い搬送フレーム１８，１８に内装する。
【００２８】
また、該左右の搬送フレーム１８，１８の機体前側、即ち前端側には、搬送従動スプロケット１９，１９を各々回転自在に設け、該左右の搬送従動スプロケット１９，１９と左右の搬送駆動スプロケット１７，１７に亘って搬送伝動チェーン２０，２０を無端状に巻回する。さらに、該左右の搬送伝動チェーン２０，２０の左右間には、作物を載置して搬送する複数の搬送バー２１を、前後方向に所定間隔毎に配置することにより、拾上げ搬送装置２２が構成される。
【００２９】
なお、前記左右の搬送従動スプロケット１９，１９と左右の搬送駆動スプロケット１７，１７の前後間には、適宜テンションスプロケット（図示省略）を設け、前記搬送伝動チェーン２０，２０の弛みによる搬送不良の発生を防止する構成とする。
【００３０】
また、前記搬送バー２１は円柱状や角柱状としてもよいが、少なくとも拾上げ搬送装置２２の搬送作用域、即ち機体上側に位置するときは、上方に突起部が位置する形状とすると良い。突起付きの搬送バー２１を数個毎に配置することにより、搬送中に搬送始端側に向かって転げ落ちる作物を受け止める桟とすることができ、作物が圃場まで落下することが防止され、拾上げ収穫されなかった作物の回収作業が不要になり、作業能率の向上や作業者の労力の軽減が図られる。
【００３１】
あるいは、複数の搬送バー２１…の上下位置を前後方向において交互に異ならせることにより、拾上げ搬送装置２２の搬送作用域に凹部が形成され、作物がこの凹部により転げ落ちにくくなる構成としてもよい。  また、図６（ａ）〜（ｄ）、及び図７（ａ），（ｂ）に示すとおり、前記搬送バー２１に、断面視で四角穴形状の中空筒である間隔調節桟２１ａを装着する。四角穴形状部が上下方向を向く姿勢とした間隔調節桟２１ａを搬送バー２１に接触させるか、または四角穴形状部が前後方向を向く姿勢で搬送バー２１に設けることにより、複数の搬送バー２１・・・同士の前後間隔を広狭に変更可能としてもよい。
【００３２】
なお、全ての搬送バー２１に間隔調節桟２１ａを各々装着すると、間隔調節桟２１ａの四角穴形状部が上下方向を向く姿勢としたときに搬送バー２１同士の前後間隔が広くなり過ぎ、サイズの比較的大きな作物まで搬送中に落下させるおそれがあるので、間隔調節桟２１ａを設ける搬送バー２１と設けない搬送バー２１を交互、あるいは数本ごとに間隔調節桟２１ａを設ける構成としても良い。
【００３３】
ただし、間隔調節桟２１ａの長さや形状を変更し、全ての搬送バー２１に間隔調節桟２１ａを設ける構成としても良い。
【００３４】
四角穴形状部が前後方向を向く姿勢で搬送バー２１に間隔調節桟２１ａを設けると、搬送バー２１同士の前後間が狭くなるので、サイズの小さい作物を搬送中に落下させることが防止され、作物の収穫量が増加する。
【００３５】
一方、四角穴形状部が上下方向を向く姿勢で搬送バー２１に間隔調節桟２１ａを設けると、搬送バー２１同士の前後間が広くなるので、土砂を搬送中に確実に排出することができるので、作物と土砂を分離する作業が不要となり、作業能率の向上や作業者の労力の軽減が図られる。
【００３６】
また、間隔調節桟２１ａが上方に突出することにより、作物を受け止める壁になるので、搬送中の作物が転がり落ちて拾上げ搬送装置２２から脱落し、圃場に作物が残されることを防止できると共に、作物が拾上げ搬送装置２２の搬送作用域に滞留し、排出シュータ３７まで移動しなくなることが防止され、作業能率が向上する。
【００３７】
図８（ａ），（ｂ）に示す実施例では、搬送バー２１を上下交互に配列し、下側の搬送バー２１に開閉桟２１ｂを設け、玉葱等の大径作物の場合には開閉桟２１ｂを閉じて各搬送バー２１の間隔から土を落とし易くし、ニンニク等の小径作物の場合には開閉桟２１ｂを開いて各搬送バー２１の間隔を埋めるようにする。
【００３８】
図２に示す如く、前記左右の搬送フレーム１８，１８の左右両外側で、且つ前記左右の走行クローラ９Ｌ，９Ｒよりも機体内側位置に、搬送カバー２３，２３を各々着脱自在に設ける。該搬送カバー２３，２３の左右間には連結プレート（図示省略）を設け、該連結プレートと機体フレーム１の間に拾上げ搬送装置２２を上下に回動させる拾上げ昇降シリンダ４６（図１）を伸縮自在に設け、拾上げ搬送装置２２の搬送角度を圃場の土質等に合わせて変更可能に構成する。
【００３９】
さらに、図１及び図２で示すとおり、前記拾上げ搬送装置２２の前側には、作物の下方に進入して作物を圃場面から浮かせると共に、拾上げ搬送装置２２の上面、即ち搬送作用面へ案内する掬い上げ板２４を設ける。該掬い上げ板２４の上面は、圃場面から拾上げ搬送装置２２の搬送始端部の直前に向かう後上り傾斜姿勢とするが、直線状でなく、下方に向かって凹んだ緩やかな円弧形状としてもよい。
【００４０】
また、前記掬い上げ板２４の前後左右端部以外を肉抜きして枠形状とし、枠内に拾上げ搬送装置２２側に回転する持ち上げ搬送装置２５を後上り傾斜姿勢で配置してもよい。該持ち上げ搬送装置２５は、前記左右の搬送従動スプロケット１９，１９の回転軸から伝動クランクアーム２６を介して持ち上げ駆動プーリ２５ａを回転させることで駆動する構成とする。なお、持ち上げ搬送装置２５で搬送中の作物の傷付を防止すべく、搬送部はベルトで構成するとよい。
【００４１】
そして、図１及び図２で示すとおり、前記左右の搬送カバー２３，２３の前端部で且つ拾上げ搬送装置２２の搬送幅よりも機体外側に、ガイドフレーム２７，２７を拾上げ搬送装置２２の搬送作用端部から機体外側方向に向かって各々回動可能に設け、該左右のガイドフレーム２７，２７の前端部と後端部に伝動プーリ２８，２８を各々設けると共に、該前後の伝動プーリ２８，２８に複数の搬送ラグ２９・・・を所定間隔毎に備えるガイドベルト３０，３０を各々無端状に巻回する。さらに、該伝動プーリ２８，２８の上方にガイドカバー３１，３１を各々設けると共に、該左右のガイドカバー３１，３１にガイド駆動モータ３２，３２を各々設けて、左右のガイド搬送装置３３，３３を構成する。
【００４２】
図１で示すとおり、該掬い上げ板２４や左右のガイド搬送装置３３，３３は、起立して収納するようにすると良い。
【００４３】
なお、前記左右のガイド搬送装置３３，３３の搬送作用域は、機体内側に回動させるほど拾上げ搬送装置２２の搬送作用域に接近し、機体外側に回動させると左右の走行クローラ９Ｌ，９Ｒ側、即ち畝の端部側に接近することにより、畝の端部付近に位置する作物を拾上げ搬送装置２２に案内し、圃場に作物が残るのを防止できる。
【００４４】
上記により、拾上げ搬送装置２２の搬送幅の左右端部の近傍に位置する作物を、ガイドベルト３０，３０の回転により移動する搬送ラグ２９・・・によって拾上げ搬送装置２２側に寄せることができるので、拾上げ搬送装置２２の左右端部に位置する作物を確実に持ち上げて案内することができ、圃場に残された作物を回収する作業が不要となり、作業能率の向上や作業者の労力の軽減が図られる。
【００４５】
また、収穫中の作物が畝の左右に形成される畝溝に落下することを防止できるので、左右の走行クローラ９Ｌ，９Ｒで作物を踏み付けて収穫対象外としてしまうことを防止できて、作物の収穫量の減少が防止される。
【００４６】
また、前記左右のガイド搬送装置３３，３３を回動させる回動アクチュエータ３４，３４（図５に記載）を各々設け、前記操縦カバー１２に該回動アクチュエータ３４，３４を作動させて左右のガイド搬送装置３３，３３の回動量を任意に変更可能に構成してもよい。
【００４７】
また、作物認識装置としてガイド搬送装置３３の前方を映すカメラを設け、ガイド搬送装置３３の前方に作物を発見すると、回動アクチュエータ３４を制御してガイド搬送装置３３がその作物を捕捉する様にガイド搬送装置３３の開き幅を変更するようにしても良い。作物認識装置としては触角状の線材でも良い。
【００４８】
なお、前記ガイド駆動モータ３２，３２の回転数を操作するガイド切換ダイヤル３２ａ，３２ａ、及び回動アクチュエータ３４，３４の作動量を操作する回動切替ダイヤル３４ａ，３４ａは、ハンドルバー１３近くの前記操縦カバー１２に設ける。
【００４９】
これにより、ハンドルバー１３の後方で機体の操作を行う作業者が、畝上の作物の位置に合わせて適宜左右のガイド搬送装置３３，３３の回動量を変更することができるので、拾上げ搬送装置２２に載らずに圃場に残された作物を回収する作業が不要となり、作業能率の向上や作業者の労力の軽減が図られる。
【００５０】
また、作物が畝中央寄りに集まっているときは、左右のガイド搬送装置３３，３３の先端幅を小さくして前記左右の搬送カバー２３，２３の前方に略直線状に位置させることにより、土砂との接触抵抗により走行速度が低下したり、機体が振動して拾上げ搬送装置２２から作物が逆流したりすることが防止される。
【００５１】
図９と図１０にはガイド搬送装置３３の別実施例を示している。
【００５２】
左右の搬送フレーム１８の先端に、前から内に向かう傾斜案内面６６ａを形成した固定傾斜案内体６６を固着し、その先端にプレート状の可動案内体６７を枢着している。この可動案内体６７は側方へ回動可能でトルクスプリング等で真っ直ぐ前に向かう安定位置に戻るように付勢し、ハンドルバー１３近くの操縦カバー１２にレバー状のガイド調整具６５，６５を設け、このガイド調整具６５を作業者が操作して可動アーム６７ａ，６７ａを回動操作することで左右の可動案内体６７，６７を側方へ開いた角度に変更して固定することが出来て、固定を解くとトルクスプリングの付勢力で真っ直ぐ前に向かう安定位置に戻るようにする。
【００５３】
なお、図１０（ａ）（ｂ）では、ガイド調整具６５，６５と可動アーム６７ａ，６７ａは連携ワイヤ６７ｂ，６７ｂで各々連結する構成を示しているが、例えば、ガイド調整具６５，６５の操作により可動アーム６７ａ，６７ａを回動させる電動モータ等のアクチュエータを用いて、連携ワイヤ６７ａ，６７ａのような長い配索部材を必要とせず、分解や組み立ての容易な構成としてもよい。
【００５４】
この可動案内体６７，６７は、最大に左右へ開くと左右の走行クローラ９Ｌ，９Ｒの前を覆い、取り残した作物を拾上げ搬送装置２２に導いて踏み潰さないように出来る。
【００５５】
固定傾斜案内体６６の傾斜案内面６６ａと可動案内体６７の内側には樹脂板を張り付けて作物を傷つけないようにしている。なお、固定傾斜案内体６６と可動案内体６７自体を樹脂材で構成しても良い。
【００５６】
また、固定傾斜案内体６６と可動案内体６７に前後方向長い長穴状のスリット６６ｓ，６７ｓを設けて、土などが側方へ排出されるようにする。スリット６６ｓ，６７ｓは、樹脂板に形成したもので、作物を傷つけないようにする。
【００５７】
さらに、可動案内体６７の先端はゴムや樹脂で包んだり中空のゴムパイプを取り付けたりして作物に突き刺さらないようにする。
【００５８】
また、図２で示すとおり、拾上げ搬送装置２２の左右一側には、平面視で搬送方向下手側ほど上方を覆う面積が広くなる形状の搬送上部カバー３５を設け、該搬送上部カバー３５の左右他側端部に、拾上げ搬送装置２２の左右一側端部側に作物が接近することを防止する上下方向のゴムや合成樹脂等の軟質材で構成する防護カバー３６を設ける。該防護カバー３６により、拾上げ搬送装置２２によって搬送される作物のうち、機体左右一側に位置するものは、搬送方向下手側（機体後側）に向かうほど左右他側に案内され、搬送終端部では機体左右中央位置に案内されるので、操縦カバー１２やエンジン２等を拾上げ搬送装置２２の後に配置できる。
【００５９】
なお、図示を省略するが、拾上げ搬送装置２２の左右搬送カバー２３に内下向きにエアー噴射ノズルを多数並設し、作物にエアーを吹き付けて付着する土を落としたりニンニクのアリシンガスや玉葱の硫化アリルを下方に逃がしたりするようにすると良い。
【００６０】
そして、前記拾上げ搬送装置２２の搬送終端部で、且つ操縦カバー１２よりも左右他側位置に、拾上げ搬送装置２２から排出される作物を受けて機体左右中央部に寄せつつ機体後方に案内する排出シュータ３７を設ける。該排出シュータ３７は、左右方向中央部に作物を後側下方に排出案内する後方傾斜板３７ａと、拾上げ搬送装置２２の左右他側端部から該後方傾斜板３７ａに向かって下方傾斜し、作物を後方傾斜板３７ａに案内する案内傾斜板３７ｂで構成する。
【００６１】
さらに、図１及び図２で示すとおり、前記排出シュータ３７の後方傾斜板３７ａの下方には、作物を回収するコンテナ等の回収容器３８を積載するための作物回収台３９を上下回動自在に配置する。該作物回収台３９は枠形状とし、枠内では前後方向の所定位置ごとに容器搬送ローラ４０・・・を回転自在に配置する。さらに、前記作物回収台３９はエアシリンダやトルクスプリング等によって上方に付勢して通常の回収位置に配置され、回収容器３８に収容される作物の重量が増加するにつれて下方傾斜姿勢となる、所謂ダンパ機構を備える。
【００６２】
上記構成により、回収容器３８に所定重量以上の作物が収容されると作物回収台３９が自動的に下方回動するので、作物回収台３９から自動的に圃場に回収容器３８を下ろすことができ、作業者が手作業で重量の増加した回収容器３８を下ろす必要がなく、作業能率の向上や作業に要する労力の軽減が図られる。
【００６３】
なお、回収容器３８に収容される作物が無い、あるいは少量である段階では、作物回収台３９は機体後側に向かう上方傾斜姿勢となる配置とすると、回収容器３８も機体後側に向かう上方傾斜姿勢になるので、回収容器３８の底部が前記後方傾斜板３７ａに接近するので、後方傾斜板３７ａからの作物の落下距離が短くなり、落下の衝撃が弱まって作物が傷付くことが防止され、作物の商品価値が維持される。その後、作物回収台３９は、回収容器３８の重量が増加するにつれて後が下降する構成とすると、下降時に収容された作物を回収容器３８の後方に移動させることができるので、収容される作物が転がりながら均平化される。
【００６４】
また、回収容器３８に所定重量まで作物が収容されたとき、圃場に回収容器３８を下ろしたくないときは、作物回収台３９がハンドルバー１３と略平行な姿勢となる位置まで回動するとそれ以上の下方回動を規制するロック部材（図示省略）を設けてもよい。このとき、図２に示すとおり、空の回収容器３８、及び作物が収容された回収容器３８を作業者が任意に載置する容器載置台４２を、拾上げ搬送装置２２の左右他側の外側で、且つ圃場面から浮かせて配置し、該容器載置台４２に作物が収容された回収容器３８を載置してもよい。
【００６５】
上記構成では、回収容器３８に収容される作物の重量が所定重量を超えても作物回収台３９は下方回動しないので、回収容器３８の容量一杯に作物を回収することができ、回収容器３８を作物回収台３９に装填したり、作物回収台３９から容器載置台４２に作物を移動させたりする頻度が減少し、作業能率の向上や作業に費やす労力の軽減が図られる。
【００６６】
また、作物が収容された回収容器３８を容器載置台４２に載置した状態で作業を継続することができるので、圃場の複数の位置を回って重量の増加した回収容器３８を集める必要がなく、作業能率が向上する。
【００６７】
そして、図２に示すとおり、前記作物回収台３９の左右他側には、空の回収容器３８を載置すると共に、作物回収台３９から回収容器３８が取り除かれると空の回収容器３８を作物回収台３９に移動させる自動装填機構４３を設ける。該自動装填機構４３は、左右他側から左右一側に向かって下方傾斜する枠形状の装填枠４４を前記拾上げ搬送装置２２の後側で且つ下方に設け、該装填枠４４の空間部に複数の装填ローラ４５…を左右方向に所定間隔を空けて配置して構成する。なお、作物回収台３９に載置する回収容器３８の左右他側端部が、自動装填機構４３により左右一側端部に搬送された空の回収容器３８に接触することで、ストッパの役割を果たすものとする。
【００６８】
上記構成により、作物回収台３９が作物を回収している間は自動的に自動装填機構４３による空の回収容器３８の移動が規制され、作物回収台３９から回収容器３８が取り除かれると空の回収容器３８が装填ローラ４５によって左右一側に移動し、自動的に作物の回収を行う位置に載置されるので、回収容器３８の交換作業を行う際に機体の移動や拾上げ収穫作業を停止する時間が短くなり、作業能率が向上する。
【００６９】
なお、図示を省略するが、拾上げ搬送装置２２の駆動を電動モータで行い、容器載置台４２に設けた重量計で回収容器３８が満杯になった重量を検出すると、電動モータの駆動を停止し、重量計が軽くなったことを検出して回収容器３８の交換作業が終了する時間の経過後に、電動モータを駆動するようにすると、容器載置台４２からの満杯回収容器３８の降ろし作業と空の回収容器３８の積込作業が作物の流れを一時的に停止して効率的に行える。この際に機体の走行も停止させると良い。
【００７０】
また、後方傾斜板３７ａに回収容器３８への作物移動を一時的に止める滞留板を設け、回収容器３８の交換作業時に該滞留板で作物を留めておけるようにすると、収集作業を続けながら回収容器３８の交換が行える。
【００７１】
そして、図１及び図２に示すとおり、前記左右一側（機体左側）の搬送駆動スプロケット１７を設ける側で、且つ左右一側の搬送カバー２３と走行クローラ９Ｌの左右間に、前後方向の掻込伝動ケース４７を設け、該掻込伝動ケース４７を上下回動させる掻込昇降シリンダ４８を設ける。また、該掻込伝動ケース４７の内部には、前記搬送駆動スプロケット１７と同じく拾上げ駆動軸１６に装着する掻込駆動スプロケット４９と、機体前側に回転自在に配置する掻込従動スプロケット５０と、該掻込駆動スプロケット４９と掻込従動スプロケット５０に無端状に巻回する掻込伝動チェーン５１を設ける。
【００７２】
なお、該掻込伝動チェーン５１の巻回域内には、弛み防止のテンションスプロケット（図示省略）を、一または複数設けてもよい。
【００７３】
さらに、前記掻込従動スプロケット５０の従動回転軸５０ａの左右他側、即ち機体中央寄りとなる側に円柱形状の掻込ドラム５２を装着し、該掻込ドラム５２の外周に所定間隔を空けて複数の掻込アーム５３…を装着すると共に、各掻込アーム５３…にはゴム等の軟質部材で構成する掻込板５４を各々回動自在に設けて、掻込装置５５を構成する。
【００７４】
該掻込装置５５は、側面視で反時計回り方向に回転し、前記拾上げ搬送装置２２の搬送始端部にある作物を掻込板５４で拾上げ搬送装置２２の搬送方向下手側に押し上げることで、作物が確実に搬送される状態とするものである。
【００７５】
上記構成により、作物が拾上げ搬送装置２２の搬送始端側に向かって転げ落ち、拾上げ前の作物と接触することや、畝溝に作物が落ちて左右の走行クローラ９Ｌ，９Ｒに踏み潰されることを防止できるので、作物が傷付いて商品価値が低下することが防止される。
【００７６】
また、掻込装置５５が作物を拾上げ搬送装置２２の搬送方向下手側に作物を移動させることにより、拾上げ搬送装置２２の搬送始端部に作物が滞留することを防止できるので、作業者が拾上げ搬送装置２２から作物を拾上げる作業が不要になり、作業能率の向上や作業に要する労力の軽減が図られる。
【００７７】
前記拾上げ搬送装置２２と掻込装置５５は、駆動力を共通の拾上げ駆動軸１６から得ることにより、拾上げ搬送速度と掻き込み回転速度を同調させ、いっそう作物が圃場に戻ることや、畝溝に落下することを防止している。しかしながら、その分駆動に要する力が大きくなるので、拾上げ搬送装置２２の搬送始端部が土砂に突っ込んだり、掻込装置５５と拾上げ搬送装置２２の上下間に作物が停滞したりすると、過負荷が拾上げ回転軸１６に加わり、破損する可能性がある。
【００７８】
この問題を防止すべく、過負荷、即ち所定値以上のトルクがかかる状態になると、搬送駆動スプロケット１７を空回りさせて拾上げ回転軸１６の回転を停止させるトルクリミッタ５６を、図３に示すとおり、該拾上げ搬送装置２２の左右一側で且つ左側一側の搬送カバー２３の内部に設ける。該トルクリミッタ５６は、前記搬送駆動スプロケット１７を左右から挟み込ませて配置して、該トルクリミッタ５６が非伝動状態になると搬送駆動スプロケット１７の回転を停止させる構成とする。そして、該搬送駆動スプロケット１７の左右他側面を掻込駆動スプロケット４９の左右一側面に沿わせ、搬送駆動スプロケット１７の回転が停止すると掻込駆動スプロケット４９も停止する構成とする。
【００７９】
前記トルクリミッタ５６は、前記搬送駆動スプロケット１７の左右に各々ブレーキライニング５７，５７を設け、左右一側には左側のブレーキライニング５７に接触して摩擦をかける補助ライニング５８を設ける。該補助ライニング５８の左右一側端部には平面視で凹形状となる凹部５８ａを形成し、該凹部５８ａに皿バネ５９の外周縁端部を接触させる。そして、該皿バネ５９の左右一側には、補助ライニング５８に接する皿バネ５９の強弱を調節してトルクを増減させる、トルク調節ハンドル６０を回転操作可能に設ける。
【００８０】
一方、左右他側のブレーキライニング５７は、前記拾上げ回転軸１６の外周に設けるリミッタハブ６１の左右一側端部に接触する構成とする。該リミッタハブ６１のうち、左右他側のブレーキライニング５７と接触する面よりも左右他側には、トルク測定用のレンチを接触させる、トルク測定部６１ａを形成する。また、リミッタハブ６１の左右一側端部には、該リミッタハブ６１を拾上げ回転軸１６に装着するナット６２が入り込む左右方向の凹部６１ｂを形成し、該凹部６１ｂにナット６２が内装される構成とする。
【００８１】
なお、該トルク調節ハンドル６０は、リミッタハブ６１の左右一側の外周部に設けるものとする。
【００８２】
上記構成により、拾上げ搬送装置２２及び掻込装置５５に所定トルク以上の過負荷がかかると左右のブレーキライニング５７，５７及び補助ライニング５８が接触して搬送駆動スプロケット１７を空回りさせることにより、拾上げ回転軸１６の回転が停止すると共に掻込駆動スプロケット４９も回転しなくなり、過負荷が発生し得る状態で拾上げ搬送装置２２や掻込装置５５が作動することを防止できるので、拾上げ回転軸１６が過負荷で破損することが防止される。
【００８３】
また、リミッタハブ６１の左右一側端部に凹部６１ｂを設けたことにより、ナット６２がリミッタハブ６１の左右幅内に収まるので、トルクリミッタ５６の左右一側に突出する部材がなくなり、トルクリミッタ５６の左右幅を短く構成することで、機体の左右幅のコンパクト化が図られる。
【００８４】
そして、トルク調節ハンドル６０をリミッタハブ６１の左右一側の外周部に設けたことにより、左側の搬送カバー２３を外すとすぐにトルク調節ハンドル６０を操作することができるので、圃場の土質や作物の拾上げ開始高さに合わせてトルクリミッタ５６の作用するトルクを設定することができるので、拾上げ回転軸１６が破損する前に駆動力の伝動を止めることができ、拾上げ収穫作業の中断が防止される。
【００８５】
さらに、拾上げ搬送装置２２だけでなく掻込装置５５の回転を停止させることにより、作業者が視覚的にトルククラッチ５６の作動を確認することができるので、拾上げ搬送装置２２や掻込装置５５の停止に気付かず機体を前進させることが防止され、余分な作業が行われず、作業能率が向上する。
【００８６】
また、リミッタハブ６１にトルク測定部６１ａを形成したことにより、トルク測定用のレンチを噛み合わせる場所がわかりやすいので、トルク測定作業の能率が向上すると共に、トルク値の測定が行いやすく、トルク値の設定間違いによる破損が防止される。
【００８７】
なお、前記左右のブレーキライニング５７，５７、及び補助ライニング５８同士が接触するとカチカチという音を発生させるべく、左右のブレーキライニング５７，５７及び補助ライニング５８の接触面に音を生じさせる発音突起（図示省略）を形成すると、掻込装置５５の回転停止だけでなくトルククラッチ５６の作動音で過負荷の発生の可能性を作業者に報知することができるので、作業者に過負荷発生の原因を早期に解消させることができる。
【００８８】
また、トルク測定部６１ａに追加または交換用の皿バネ５９を設け、補助ライニング５８の凹部５８ａに入り込む皿バネ５９が破損した時に交換することにより、皿バネ５９を機外まで取りに行く必要が無くなり、作業能率や、皿バネ５９の交換に要する時間と労力が軽減される。
【００８９】
あるいは、皿バネ５９が一枚だけでは十分なトルクが生じないときは、皿バネ５８を重ねることにより、高いトルクを設定できるようになるので、作業条件に適したトルクリミッタ５６の設定が可能になる。
【００９０】
図４及び図５に示すとおり、前記トルクリミッタ５６にスリップを検出するスリップセンサ６３を設け、該スリップセンサ６３の検出値を制御装置６４に発信し、該制御装置６４を介して前記トラニオン回動モータ１１ｂを作動させ、前記トラニオン軸の回動量を変更することにより、無段変速装置１１の出力を低下させる構成としてもよい。
【００９１】
上記構成により、トルクリミッタ５６の作動時のスリップ率に合わせて無段変速装置１１の出力を低下させることにより、拾上げ収穫作業の走行速度を低下させることができるので、拾上げ搬送装置２２や掻込装置５５に負荷がかかりにくくなるので、過負荷による破損が防止される。スリップ率と変速装置１１の出力低下は、スリップ率が高くなるほど出力が低下する、反比例の関係とする。
【００９２】
なお、スリップ率が所定高さを超えると、その分高い負荷がかかっていると判断できるので、破損防止のために無段変速装置１１の出力を停止させる制御としてもよい。
【産業上の利用可能性】
【００９３】
本発明は、機体の進行方向を変更することなく、容易に幅広く作物を収穫できるので、圃場面に掘り起こして放置した玉葱やニンニク等の作物を拾上げて収穫する作物拾上げ収穫機に有用である。
【符号の説明】
【００９４】
１３  ハンドルバー
２２  拾上げ搬送装置
２７  ガイドフレーム
２９  搬送ラグ
３０  ガイドベルト
３３  ガイド搬送装置
３４  回動アクチュエータ
３４ａ  回動切換ダイヤル（ガイド調整具）
６５  ガイド調整具
６６  固定傾斜案内体
６６ｓ  スリット
６７  可動案内体
６７ｓ  スリット
【図１】
0006471677.tif 000002
【図２】
0006471677.tif 000003
【図３】
0006471677.tif 000004
【図４】
0006471677.tif 000005
【図５】
0006471677.tif 000006
【図６】
0006471677.tif 000007
【図７】
0006471677.tif 000008
【図８】
0006471677.tif 000009
【図９】
0006471677.tif 000010
【図１０】
0006471677.tif 000011
【図１１】
0006471677.tif 000012